(57)【特許請求の範囲】
【請求項１】
上部構造を受ける鋼材基礎と、
該鋼材基礎の下方に設けられて当該鋼材基礎を支持するコンクリート製の支持体と、
該鋼材基礎から離間した状態で当該鋼材基礎の外側面に立設される平板状の外装断熱材とを備え、
該外装断熱材は、補助材を介して前記鋼材基礎に支持されており、
該補助材は、前記鋼材基礎と前記外装断熱材のいずれか一方に固定され、他方には当接するのみである
ことを特徴とする基礎構造。
【請求項２】
前記補助材は、前記外装断熱材と同程度の強度を有する素材により形成されている
ことを特徴とする請求項１に記載の基礎構造。
【請求項３】
前記補助材は、前記外装断熱材の外側から差し込まれるピンによって当該外装断熱材に固定されていることを特徴とする請求項２に記載の基礎構造。
【請求項４】
前記外装断熱材は、下端部が前記基礎スラブの側部にて前記地盤に埋設される共に上端部が前記鋼材基礎の上端部と略同一の高さ位置に設定されており、
前記補助材は、これら外装断熱材と鋼材基礎の上端部の間に設けられている
ことを特徴とする請求項１乃至請求項３のいずれかに記載の基礎構造。
【請求項５】
前記補助材は、プラスチック系断熱材によりブロック状に形成されている
ことを特徴とする請求項１乃至請求項４のいずれかに記載の基礎構造。
【発明の詳細な説明】
【技術分野】
【０００１】
本発明は、住宅等の建物の上部構造を支持する基礎構造に関する。
【背景技術】
【０００２】
この種の基礎として、鉄筋コンクリート製の基礎梁を備えるコンクリート基礎が知られているが、かかるコンクリート基礎は、当該基礎を施工するだけで工程にかなりの日数を要するばかりでなく、地業、配筋、型枠、アンカーセット等の作業に手間がかかり、かかる手間を改善することが現場から要望されている。その要望に応えるべく、基礎梁として鉄骨材を採用する構成が知られており、例えば特許文献１には、Ｈ型鋼の下部を基礎スラブに埋設させることで当該Ｈ型鋼を基礎梁とした基礎構造が開示されている。あるいは、特許文献２には、アンカー部材を介して基礎スラブにＨ型鋼を固定した基礎構造が開示されている。また、これらの基礎構造においては、風雨等に曝されることによるＨ型鋼の腐食等に考慮する必要があり、その対応として、Ｈ型鋼の外側面に化粧カバーが設けられている。
【先行技術文献】
【特許文献】
【０００３】
【特許文献１】特開２００１−２６２５８６号公報
【特許文献２】特開２００３−２６８７８２号公報
【発明の概要】
【発明が解決しようとする課題】
【０００４】
しかしながら、特許文献１や特許文献２の基礎構造においては、基礎梁としての鉄骨梁にボルト等でブラケットやステーといった取付金物を剛接合し、当該取付金物に化粧カバーがビス等で固定されており、かかる固定方法では基礎梁に化粧カバーが剛接合されることとなり、基礎梁や化粧カバーに加わる振動や衝撃を吸収することができず、これによって化粧カバーを破損させてしまう虞があった。なお、特許文献２においては、外装材の具体的な固定方法についての開示が無い。
【０００５】
本発明は、このような問題を解決するためになされたものであり、外から加わる振動や衝撃に対して耐性を発揮しうる基礎構造を提供することを目的とする。
【課題を解決するための手段】
【０００６】
（１）上記課題を解決すべく、本発明に係る基礎構造は、
上部構造を受ける鋼材基礎と、
該鋼材基礎の下方に設けられて当該鋼材基礎を支持するコンクリート製の支持体と、
該鋼材基礎から離間した状態で当該鋼材基礎の外側面に立設される平板状の外装断熱材とを備え、
該外装断熱材は、補助材を介して前記鋼材基礎に支持されており、
該補助材は、前記鋼材基礎と前記外装断熱材のいずれか一方に固定され、他方には当接するのみであることを特徴としている。
これによれば、外装断熱材は鋼材基礎に剛接合されない状態で当該鋼材基礎に支持されるものとなり、建設中や建設後に外から加わる振動に追従して振動することができ、且つ、衝撃を逃がすことができ、これによって、これら振動や衝撃による外装断熱材の損傷を防止することができるものとなる。
【０００７】
（２）また、前記補助材は、前記外装断熱材と同程度の強度を有する素材により形成されていることが好ましい。
これによれば、上記衝撃や振動によって補助材と外装断熱材との間で接触圧や摩擦等が発生することとなるものの、いずれも同程度の強度を有するので、上記衝撃等により一方が他方よりも先んじて磨耗等することが無く、これによって、外装断熱材と補助材の接触部にていずれかが他方に比して著しく抉れてしまう等の損傷を抑制することができる。
【０００８】
（３）また、前記補助材は、前記外装断熱材の外側から差し込まれるピンによって当該外装断熱材に固定されていることが好ましい。
これによれば、外装断熱材の外側から容易に補助材を当該外装断熱材に取り付けることができる。
【０００９】
（４）また、前記外装断熱材は、下端部が前記基礎スラブの側部にて前記地盤に埋設される共に上端部が前記鋼材基礎の上端部と略同一の高さ位置に設定されており、
前記補助材は、これら外装断熱材と鋼材基礎の上端部の間に設けられていることが好ましい。
これによれば、外装断熱材の下端部が地盤に埋設されているため、当該外装断熱材は下端部を固定端とすると共に上端部を自由端として振動等することとなるが、最も大きく変位することが考えられる外装断熱材の上端部に補助材を設けており、当該補助材が鋼材基礎に接することで外装断熱材の上端部は鋼材基礎に支持されることとなるので、より効率的に外装断熱材を支持することができるものとなっている。
【００１０】
（５）また、前記補助材は、プラスチック系断熱材によりブロック状に形成されていることが好ましい。
これによれば、補助材も断熱性を有することとなるので、当該箇所の断熱性の向上を図ることができる。
【発明の効果】
【００１１】
本発明の基礎構造によれば、外から加わる振動や衝撃に対して外装断熱材の耐性を充分に発揮することができる。
【図面の簡単な説明】
【００１２】
【図１】本発明の実施形態に係る基礎構造の断面図である。
【図２】該基礎構造の隅部を示す平面図である。
【図３】鉄骨梁を設置する工程を示す斜視図である。
【図４】水平ブレースを設置する工程を示す斜視図である。
【図５】基礎スラブの外周部に板状断熱材等を設置する工程を示す斜視図である。
【図６】梁に上部構造の部材を設置する工程を示す斜視図である。
【発明を実施するための形態】
【００１３】
以下、本発明に係る基礎構造の実施形態について、図１〜図６に基づいて詳細に説明する。
【００１４】
図１に示す如く、本実施形態の基礎構造は、鉄筋コンクリート造の基礎スラブ（支持体）１０と、該基礎スラブ１０の上部にて組み上げられた鋼材基礎２と、該基礎スラブ１０及び鋼材基礎２を屋外側より覆う外装断熱材４０とを備えている。
【００１５】
本実施形態において上部構造として例示する建物Ａは、３０５ｍｍの平面モジュールを有する梁勝ち工法による２階建ての鉄骨造の工業化住宅である。ただし、これはあくまで好適な適用例であって、本発明の適用範囲がこれに限定されるものではない。
【００１６】
建物Ａにおいては、基礎スラブ１０及び鋼材基礎２からなる基礎構造上に設けられており、該鋼材基礎２上に立設固定された柱（以下、１階柱ともいう）５０（図６参照）と、該１階柱５０の上端を連結するように配置された２階梁と、該２階梁上に配置された２階柱と、Ｒ階大梁と、隣接する２本の柱５０間に設置された耐力要素等５１の部材とが、直交する基準線（Ｘ方向基準線、Ｙ方向基準線）の中からそれぞれ複数選択された（モジュールの整数倍の間隔となるように設定された）通りに対応して配置されて基本架構が構成されている。さらに、建物Ａにおいては、小梁が適宜架け渡され、各階梁で支持されるＡＬＣ（Autoclaved Light-weight Concrete；軽量気泡コンクリート）からなる床パネルにより各階床が構成され、外周部梁を利用してＡＬＣ等からなる外壁パネルや開口パネルが取り付けられて外壁が構成されている。
【００１７】
図１に示す如く、基礎スラブ１０は、全面的にベタ基礎形式となっている。該基礎スラブ１０においては、上記各通りに対応する所定の幅の範囲について地反力に対し耐力を発揮しうる基礎梁とみなして配筋量が算定されている（図３、図４参照）。基礎スラブ１０のうち、これ以外の領域については、地反力を受ける４辺固定のスラブとみなして配筋量が決定されている。
【００１８】
なお、本実施形態ではベタ基礎形式の基礎スラブ１０を例示しているが、このようなベタ基礎形式に限定されることはなく、例えば、通りに沿って地耐力に応じた所望の幅を有するフーチング形式とする、構成も採用可能である。
【００１９】
また、基礎スラブ１０の上面は、地盤面よりも高い位置に設定されている。
鋼材基礎２は、基礎スラブ１０の上端面に設置される鋼製の束２０と、該束２０に支持される鋼製の梁３０と、これら梁３０間に架設される水平ブレース３１とを備えている。
【００２０】
束２０は、基礎スラブ１０の上面に載置されており、梁３０を支持する。基礎スラブ１０には、予めアンカーボルト（アンカーフレーム）１１が埋設されており、該アンカーボルト１１の上端部にナット等によって接合固定されている。該束２０は、建物Ａの柱（１階柱）５０から伝達される荷重を基礎スラブ１０に効率よく伝達する役割を有し、少なくとも大梁３０上（通り上）に立設される１階柱５０の直下に設置され、ジョイントボックス２１または１階大梁３０の中間部の下フランジのボルト穴を用いて接合され、梁３０を支持する。
【００２１】
また、束２０は、アンカーボルト１１の上端部に接合される下フランジ２０ｂと、例えばジョイントボックス２１が接合される上フランジ２０ａと、これら両フランジ２０ａ，２０ｂを結合する横断面が例えば十字ないしクロス形状のウェブ２０ｃとで構成されている。
【００２２】
該束２０は、図３に示す如く、建物Ａの外周部（すなわち外壁寄りの部分）と内周部（すなわち建物Ａの内部寄りの部分）とに適宜配置される。これらのうち、外周部（外通り）に配置される束２０は、建物外側においては上フランジ２０ａと下フランジ２０ｂの端縁位置が一致し、建物内側においては下フランジ２０ｂが上フランジ２０ａよりも建物内側に向け延伸しており、延伸側のウェブ２０ｃが上フランジ２０ａの端縁から下フランジ２０ｂの端縁にかけて末広がり状に形成された形状（オフセット形状）となっている。また、建物Ａの入隅部および出隅部においては、外壁に沿った２方向について、下フランジ２０ｂが上フランジ２０ａよりも延伸し、延伸側のウェブ２０ｃが上フランジ２０ａの端縁から下フランジ２０ｂの端縁にかけて末広がり状に形成されている束２０が採用されている。
【００２３】
このようなオフセット形状の束２０を用いることにより、基礎スラブ１０のより広い範囲に荷重が分散して伝達され、該基礎構造にて構造計算上の基礎梁とみなせる幅が大きくとれるものとなっている。
【００２４】
梁３０は、例えばＨ形鋼（Ｉ形鋼と呼ばれるような形鋼を含む）からなり、長手方向の両端には、先端部をＬ字としてボルト穴を開設したガセットプレート３４が溶接により接合されている。
【００２５】
なお、梁３０には、通り上に配置されるいわゆる大梁（１階大梁）のみならず、建物Ａの１階床を形成する床パネルを支持するために設置される大梁間に架け渡される小梁３０’も含まれる。なお、小梁は大梁と他の小梁との間に架け渡される場合もある。
【００２６】
また、図３に示す如く、梁３０の上フランジ３０ａおよび下フランジ３０ｂにはモジュール柱を接合するためのボルトを挿通するボルト穴３０ｄがモジュールに基づくピッチで等間隔に穿設されている。ボルト穴３０ｄは、平面視基準線の交点上に位置するよう穿設されている。また、ウェブ３０ｃにも他の梁３０を接合するためのボルトを挿通するボルト穴３０ｄがモジュールに基づくピッチで等間隔に穿設されている。さらに、梁３０のウェブ３０ｃには所定の間隔で大径の穴（一例として、直径１２５ｍｍ）３０ｅが穿設されている。
【００２７】
図２、図３に示す如く、梁３０の端部どうしを接合する場合、本実施形態ではジョイントボックス２１を用いている。
【００２８】
ジョイントボックス２１は、平面視十字状のウェブ２１ｃの上下端に正方形の上フランジ２１ａおよび下フランジ２１ｂが溶接され構成されている。このジョイントボックス２１に梁３０を接合する場合は、梁３０のガセットプレート３４の２面を直交するウェブ２１ｃの２面に当接させ、該ガセットプレート３４の屈曲部のボルト穴及びこれに対応するジョイントボックス２１のボルト穴にボルトを挿通してボルト接合する。
【００２９】
図４に示す如く、水平ブレース（補剛材）３１は、１階の床構面に設置されて、コンクリート打設作業時等における梁３０等の変形を抑制する（図５等参照）。床構面に設置された水平ブレース３１は、そのまま建物完成後の１階床の面内剛性を確保する部材となる。
【００３０】
また、図２に示す如く、該水平ブレース３１は梁３０の上端付近にて火打３５を介して取り付けられており、これによって、梁３０等の変形抑止効果と、基礎形成時の作業性・床下利用性とをさらに向上させることが可能となっている。
【００３１】
なお、ここで例示する水平ブレース３１の他、火打梁（火打土台、火打金物）等を補剛材として用いることも可能である。
【００３２】
図６に示す如く、柱５０は、通りと通りに直行する基準線との交点に配置され、下端部がジョイントボックス２１または大梁３０の中間部の上フランジ３０ａのボルト穴３０ｄを用いて接合される。
【００３３】
また、耐力要素５１は、所定の間隔（例示すれば、６１０ｍｍ、９１５ｍｍなど）で配置された２本の柱５０の内側面にボルト接合される。耐力要素５１は例えば筋交い（クロスフレーム）等で構成される。
【００３４】
図１に示す如く、外装断熱材４０は、建物Ａの外周部には、基礎スラブ１０の端縁および鋼材基礎２の外周部に位置することとなる梁３０の外側面に沿って設けられている。本実施形態の場合、外装断熱材４０は、押出法発泡ポリスチレンフォームやフェノールフォーム等のプラスチック系断熱材からなる板状の断熱板４１と、該断熱板４１の外側面を保護する保護層４２とを備えている。
【００３５】
また、該外装断熱材４０は、基礎スラブ１０の下端部から鋼材基礎２の上端部までを覆う高さに形成されており、下端部は基礎スラブ１０に支持されると共に、上端部は補助材４３を介して鋼材基礎２の梁３０に支持されている。
【００３６】
該補助材４３は、外装断熱材４０の断熱板４１と同じ素材をブロック状に成形してなり、幅は、梁３０のウェブ３０ａの屋外側側面から基礎スラブ１０の側面までの距離と略等しい大きさに形成されている。また、図５に示す如く、梁３０の長手方向に沿う長尺状に成形されている。また、本実施形態の補助材４３は、ボルト等の他の部材との納まりを考慮して長手方向の一部が切り欠かれている。
【００３７】
また、該補助材４３は、外装断熱材４０と鋼材基礎２の梁３０との間に設けられており、当該外装断熱材４０の上端部と対向する位置にて外装断熱材４０の外側から差し込まれるピン４４によって当該外装断熱材４０に固定されている。該ピン４４は、樹脂等の非金属素材によって形成されている。また、ピン４４は、軸部の一端に頭部を備えたものが一般的であるが、当該軸部のみによるものや頭部を軸部に比して著しく小さいものを採用しても構わない。これにより、ピン４４を断熱板４１に押し込んでいくと、当該断熱板４１の表面にピン４４がほとんど露出しないものとなり、これによって、当該ピン４４が保護層の形成の妨げになることを回避することができるものとなる。また、本実施形態のピン４４には、軸部に多少の凹凸形状が形成されており、これによって断熱板４１との摩擦抵抗力を持たせ抜け難いものとなっている。
【００３８】
これによって、補助材４３は、一方の小口面を外装断熱材４０の断熱板４１の上端部側面に当接させた状態で断熱板４１に連結されることとなり、当該補助材４３の他方の小口面は梁３０のウェブ３０ａに接合されることはなく、単に当接のみすることとなる。
【００３９】
また、該外装断熱材４０は、基礎スラブ１０のコンクリート打設前に梁３０の前に立設させることにより、基礎スラブ１０の外周における型枠（堰板）機能を兼ねるものとなる。したがって、この外装断熱材４０の下端のレベルは基礎スラブ１０の下端のレベルと同一となっている。外装断熱材４０を予め設置することによって基礎スラブ１０を形成するコンクリートとの密着度が高められるものとなる。
【００４０】
また、基礎スラブ１０は、上端面を地盤面より高くして形成されており、これによって外装断熱材４０よりも屋内側となる建物Ａの１階床下空間への水の進入が抑制されるものとなる。
【００４１】
保護層４２は、屋外に露出することとなる断熱板４１の表面を保護するものであって、本実施形態では、該断熱板４１の表面に全面に亘って樹脂モルタルを左官することで形成されている。また、断熱板４１の表面に樹脂モルタルを左官していくにつき、断熱板４１間の継目の部分に補強ネット等を設け、防水性や強度の向上を図る構成を採用することも可能である。また、該樹脂モルタルに換えて、タイルやサイディング等を仕上げ断熱材４４表面に表面材として貼着して保護層４２を形成する構成を採用することも可能である。
【００４２】
また、梁３０の上端部には、建物Ａの外壁の下端部を受ける受け金物５３が屋外方向に張り出した状態で取り付けられている。当該受け金物５３は、先端部が外装断熱材４０よりも僅かに屋外側となる位置に達しており、当該受け金物５３によってこれら外装断熱材４０及び補助材４３の上部は覆われることとなる。また、当該受け金物５３の先端部は下方に向けて屈曲しており、当該先端部と外装断熱材４０との間にシール材５４が挟装されている。また、当該受け金物５３の先端部と外壁の下端部の間にもシール材が介装されている。
【００４３】
続いて、上記基礎構造の施工手順について以下に説明する。
図３に示す如く、まず、地盤を根伐り（根切り）し、砕石１７を敷きつめ転圧する。そして、根伐り底における束位置（束２０が設置される位置）にＰＣ板を設置する。ＰＣ板にアンカーボルト１１の定着板を固定した後、該定着板にアンカーボルト１１を固定する。
【００４４】
続いて、鉄筋１２を配筋する。本実施形態において鋼材基礎２の梁３０を受ける基礎梁とみなしている部分（通りに沿った所定の幅の範囲）には、算定された配筋量に応じて鉄筋１２が密に配筋される。
【００４５】
その後、束２０をアンカーボルト１１に設置する。まず、アンカーボルト１１に、束２０を仮支持するための下部ナットをねじ入れ、束２０のレベル（高さ）等を調整する。続いて、束２０の下フランジ２０ｂのボルト穴にアンカーボルト１１を挿通し、更に上部ナットをねじ入れ、束２０を固定する。
続いて、束２０の上に梁３０を載置し、ボルトおよびナットを用いて固定する。
【００４６】
その後、図４に示す如く、１階床構面に水平ブレース３１等の補剛材を取り付け、梁３０の対角寸法を確認するなどして梁３０位置の調整（ゆがみの補正）を行う。上述したように、構面の高い位置に水平ブレース（補剛材）３１を設置することが好ましい。
【００４７】
上記手順に至る間に、図５に示す如く、断熱板４１の上端部に補助材４３を取り付けておく。当該取付けは、断熱板４１の上端部の一側面に補助材４３の一方の小口面を当接させ、この状態で当該断熱板４１の他側面から補助材４３に向けてピン４４を差し込んでいく。複数個所にピン４４を差し入れていき、これによって補助材４３を断熱板４１に固定する。
【００４８】
その後、既に配筋を完了した鉄筋の周囲に断熱板４１を起立させる。このとき、補助材４３の長さは、梁３０のウェブ３０ｃの側面からこれ以後にコンクリートを打設することで形成される基礎スラブ１０の端面までの長さ相当であるので、補助材４３の他方の小口面を基礎の梁３０のウェブ３０ｃの側面に当接させた状態で断熱板４１を立設していくことで、当該断熱板４１の立上り位置が精度良く定められることとなり、計測を要することなく基礎スラブ１０の最外鉄筋のかぶり厚を正確に得ることが可能となっている。
【００４９】
その後、断熱板４１の外側に型枠を設置し、コンクリートを打設する。本実施形態では、束２０の下端レベルに合わせてコンクリートを打設する（図６等参照）。コンクリートを数日程度養生する。そして、型枠を取り外した後、断熱板４１の外側の側面に樹脂モルタルを左官して保護層４２を形成し、断熱板４１の外側面に強度を付与すると共に、断熱板４１間の継目を埋める。これによって外装断熱材４０が形成されることとなる。
【００５０】
以上の工程により基礎構造が完成し、その後、図６に示す如く、梁３０上部に柱５０や耐力要素５１といった建物Ａの各部を順次組み上げていくこととなる。
【００５１】
本実施形態の基礎構造によれば、当該外装断熱材４０と梁３０との間に補助材４３を設け、当該補助材４３を介して外装断熱材４０が梁３０に支持されることとなる。このため、外装断熱材４０が梁３０との間に間隔を有して設置されることとなるものの、当該外装断熱材４０に屋外から衝撃等を受ける場合であっても、当該外装断熱材４０の内側への入り込みを防止されるものとなっている。
【００５２】
また、当該補助材４３によって外装断熱材４０は梁３０に支持されるものの、当該外装断熱材４０は鋼材基礎２の梁３０に固定されない状態で当該梁３０に支持される。すなわち、外装断熱材４０は、鋼材基礎２の梁３０との間で縁を切られた状態で支持されることとなり、建設中や建設後に外から加わる振動に追従して梁３０とは無関係に振動等することが可能となる。特に、外装断熱材４０は、下端部が基礎スラブ１０に連結状態にあるため、当該下端部を固定端とすると共に上端部を自由端として振動することとが考えられるが、当該自由端となる上端部側が梁３０に固定されることで拘束されると、当該梁３０からの振動等がそのまま伝達されることとなり、これによって、下端部と上端部との間で割れ等が生じることが考えられるが、上述の如く梁３０との縁を切ることにより、当該梁３０からの振動や衝撃の入力を可及的抑制することができるのみならず、これら振動等を逃がすことができるものとなり、これによって、これら振動や衝撃による外装断熱材４０の損傷も防止されるものとなる。
【００５３】
また、上述の如く外装断熱材４０に屋外側から衝撃等が作用することにより、補助材４３と断熱板４０との間で接触圧や摩擦等が発生することとなるものの、これらはいずれも同じ素材で形成されているので、強度としては同程度であり、上記衝撃等により一方が他方よりも先んじて磨耗等することが無く、これによって、外装断熱材４０と補助材４３の接触部にていずれかが抉れたり磨耗したりしてしまうことによる損傷が抑制される。もちろん、当該補助材４３が外装断熱材４０と同じ素材で形成されていることにより、当該外装断熱材４０上端部周囲の断熱性能も向上するものとなる。
【００５４】
なお、上述の実施形態は本発明の好適な実施の一例ではあるがこれに限定されるものではなく本発明の要旨を逸脱しない範囲において種々変形実施可能である。
例えば補助材４３を鋼材基礎２の梁３０に連結固定し、外装断熱材４０と補助材４３の間で縁を切る構成を採用する場合にも、上記実施例と同様の作用効果を奏する。また、補助材４３の下方に補助材４３をさらに設ける構成を採用することも可能である。
【００５５】
また、基礎スラブ１０は、外側部のみを地盤面よりも高くし、中央部を地盤面よりも低くする構成や外側部から地盤面に向けて緩やかに水勾配を設ける構成を採用することも可能である。
【００５６】
また、上述した実施形態では、束２０を基礎スラブ１０に固定する方法としてアンカーボルト１１を利用したが、これに替え、埋め込み式のナットとボルトによって該束２０を固定するように構成することもできる。このように構成した場合、ボルトを取り外すことで束２０の横方向の拘束をするものがなくなり、例えば増改築に伴って柱を移動、追加する際に、束２０についても容易に撤去することができる。
【符号の説明】
【００５７】
２   鋼材基礎
１０  基礎スラブ（支持体）
１１  アンカーボルト
１２  鉄筋
１３  コンクリート
２０  束
３０  梁
３１  水平ブレース
４０  外装断熱材
４１  断熱板
４２  保護層
４３  補助材
４４  ピン
５０  柱
５１  耐力要素
Ａ…建物
【図１】
0005465606.tif 000002
【図２】
0005465606.tif 000003
【図３】
0005465606.tif 000004
【図４】
0005465606.tif 000005
【図５】
0005465606.tif 000006
【図６】
0005465606.tif 000007